(57)【要約】【課題】視覚障害者が番組を視聴するときに、その番組について音声解説の有無を簡単に確認させることができるディジタルテレビ放送受信装置を提供する。【解決手段】ディジタルテレビ放送受信装置１は、本体の電源がオンされたときや、チャンネルを切り替えたときに、受信しているチャンネルで放送されている番組の主音声または副音声に音声解説にかかる音声が含まれているかどうかを判定する。ディジタルテレビ放送受信装置１は、受信しているチャンネルで放送されている番組の主音声または副音声に音声解説にかかる音声が含まれていれば、その旨を音声で通知するための音声信号を出力する。したがって、視覚障害者に対して、その時点で視聴している番組の主音声または副音声に音声解説にかかる音声が含まれているかどうかを簡単に認識させることができる。【選択図】図１
2010187157.tif 000002
【特許請求の範囲】
【請求項１】
ディジタルテレビ放送信号を受信し、選局しているチャンネルで放送されている番組のストリームを抽出する受信手段と、
前記受信手段が抽出したストリームを処理し、番組の映像にかかる映像ストリームと、音声にかかる音声ストリームと、に分離して抽出する分離手段と、
前記分離手段が抽出した映像ストリームに応じた映像信号を出力する映像信号出力手段と、
前記分離手段が抽出した音声ストリームに応じた音声信号を出力する音声信号出力手段と、を備えたディジタルテレビ放送受信装置において、
前記分離手段が複数種類の音声ストリームを抽出している場合に、音声のタイプが音声解説である音声ストリームがある番組であるかどうかを判定する判定手段と、
前記判定手段が音声解説である音声ストリームがある番組と判定した場合に、その旨を通知する音声信号を前記音声信号出力手段から出力する通知手段と、を備えたディジタルテレビ放送受信装置。
【請求項２】
前記判定手段は、チャンネルの選局が切り替えられたときに、今回選局されたチャンネルで放送されている番組について、音声のタイプが音声解説である音声ストリームがある番組かどうかを判定する手段である、請求項１に記載のディジタルテレビ放送受信装置。
【請求項３】
前記通知手段を有効、または無効に設定する設定手段を備えた請求項１、または２に記載のディジタルテレビ放送受信装置。
【請求項４】
前記判定手段は、前記分離手段が抽出した音声ストリーム毎に、その音声ストリームに対応付けられている音声のタイプ情報によって、音声のタイプを確認する手段である、請求項１〜３のいずれかに記載のディジタルテレビ放送受信装置。
【請求項５】
前記受信手段は、チャンネル毎に、放送される各番組について放送日時、および音声のタイプが音声解説である音声ストリームの有無を示す情報が含まれている電子番組表を受信する機能を有し、
前記受信手段が受信した電子番組表に基づいて、音声のタイプが音声解説である音声ストリームがある番組を抽出し、その番組が放送されるチャンネル、および放送日時を記憶する記憶手段を備え、
さらに、前記判定手段は、前記記憶手段の記憶内容に基づいて、選局しているチャンネルで放送されている番組が、音声のタイプが音声解説である音声ストリームがある番組であるかどうかを判定する手段である、請求項１〜３のいずれかに記載のディジタルテレビ放送受信装置。
【発明の詳細な説明】
【技術分野】
【０００１】
この発明は、ディジタルテレビ放送を受信するディジタルテレビ放送受信装置に関する。
【背景技術】
【０００２】
従来、テレビ放送の番組には、音声多重放送によるものがあった。音声多重放送の番組とは、周知のように、複数種類の音声信号（例えば、日本語の音声信号と、英語の音声信号）が多重化されて放送されている番組である。アナログテレビ放送における音声多重放送は、２種類の音声信号（主音声と１つの副音声）であったが、ディジタルテレビ放送における音声多重放送は、副音声が複数種類に増加している。特に、欧州におけるディジタルテレビ放送では、日常的な会話で使用されている言語の種類が多いことから、音声多重放送における副音声の種類も多い。音声多重放送で放送されている番組の副音声の種類数が増加することは、視聴者にとっては、番組を視聴するときに選択可能な音声の種類が広がる点で好ましい。
【０００３】
また、音声多重放送で放送されている番組の副音声の種類数の増加にともない、主音声を含めて選択できる音声の種類を確認する視聴者の手間を削減するために、主音声および副音声の言語によって放送局をリスト化して出力する構成が提案されている（特許文献１参照）。
【先行技術文献】
【特許文献】
【０００４】
【特許文献１】特開２００７−２０１９１２号公報
【発明の概要】
【発明が解決しようとする課題】
【０００５】
しかしながら、欧州等におけるディジタルテレビ放送では、視覚障害者のために、番組の映像（場面）等を解説する音声（以下、音声解説と言う。）を副音声として放送している番組がある。
【０００６】
従来のディジタルテレビ放送受信装置は、視覚障害者が選局しているチャンネルで放送されている番組（視聴している番組）が音声解説にかかる音声を有する番組であるかどうかを確認するには、主音声および各副音声を順番に選択しながら、出力される音声を聞いて、その音声が音声解説であるかどうかを確認しなければならなかった。すなわち、視覚障害者にとっては、視聴している番組が音声解説にかかる音声を有する番組であるかどうかの確認に、手間や時間がかかるという問題があった。特に、副音声の種類が多くなるにつれて、視覚障害者にとっては音声解説であるかどうかを確認する副音声の種類が増加するので、この確認にかかる操作が煩雑になる。
【０００７】
なお、特許文献１に記載されている構成は、副音声として音声解説が含まれている番組をリスト化して出力する構成であり、視覚障害者に対して音声解説の有無を容易に確認させるものではない。
【０００８】
この発明の目的は、視覚障害者が番組を視聴するときに、その番組について音声解説の有無を簡単に確認させることができるディジタルテレビ放送受信装置を提供することにある。
【課題を解決するための手段】
【０００９】
この発明のディジタルテレビ放送受信装置は、上記目的を達するために、以下のように構成している。
【００１０】
受信手段が、ディジタルテレビ放送信号を受信し、選局しているチャンネルで放送されている番組のストリームを抽出する。また、分離手段が、受信手段によって抽出されたストリームを処理し、番組の映像にかかる映像ストリームと、音声にかかる音声ストリームと、に分離して抽出する。そして、映像信号出力手段が、分離手段が抽出した映像ストリームに応じた映像信号を出力し、音声信号出力手段が、分離手段が抽出した音声ストリームに応じた音声信号を出力する。音声信号出力手段は、分離手段が抽出した音声ストリームが複数あるときには、その時点で選択されている音声ストリームに応じた音声信号を出力する。
【００１１】
また、判定手段は、分離手段が複数種類の音声ストリームを抽出している場合に、音声のタイプが音声解説である音声ストリームがある番組であるかどうかを判定する。ここで言う音声解説とは、視覚障害者等のために、番組の映像（場面）等を解説している音声である。ディジタルテレビ放送におけるＭＰＥＧ規格（ＩＳＯ／ＩＥＣ  １３８１８−１）では、トランスポートストリームにＰｒｏｇｒａｍ  Ｍａｐ  Ｔａｂｌｅ（ＰＭＴ）と呼ばれるチャンネルに関するストリーム情報を関連づけるテーブルが存在する。また、音声ストリームに関連したＰＭＴの中には、音声の言語の種類（日本語、英語等）を示す言語情報と、音声のタイプを示すタイプ情報（通常音声、音声解説等）と、を示したＩＳＯ＿６３９＿ｌａｎｇｕａｇｅ＿ｄｅｓｃｒｉｐｔｏｒが含まれている。すなわち、各音声ストリームについて、該当するＩＳＯ＿６３９＿ｌａｎｇｕａｇｅ＿ｄｅｓｃｒｉｐｔｏｒのタイプ情報を確認することにより、その音声ストリームが音声解説にかかるものであるかどうか判断できる。
【００１２】
さらに、判定手段が音声解説にかかる音声ストリームがある番組と判定した場合に、通知手段が、その旨を通知する音声信号を音声信号出力手段から出力する。通知手段は、例えば、予め定めたチャイム音や、「この番組には、音声解説があります。」等の音声メッセージを、スピーカ等から放音させる音声信号を音声信号出力手段から出力する。
【００１３】
これにより、視覚障害者が番組を視聴するときにも、その番組が音声解説がある番組であるかどうかを簡単に確認させることができる。
【００１４】
また、判定手段は、本体の動作開始時、チャンネルの選局が切り替えられたとき、さらには選局されているチャンネルで放送されている番組が切り替わったとき等に、音声ストリームがある番組かどうかを判定する構成とすればよい。
【００１５】
また、通知手段を有効、または無効に設定する設定手段を設けてもよい。この場合には、通知手段を無効に設定すると、判定手段も連動して無効に設定する構成とするのが好ましい。
【００１６】
さらに、チャンネル毎に、放送される各番組について放送日時、および音声のタイプが音声解説である音声ストリームの有無を示す情報が含まれている電子番組表（所謂ＥＰＧ）がディジタルテレビ放送信号に多重化される環境になれば、判定手段を受信した電子番組表に基づいて、音声解説である音声ストリームがある番組であるかどうかを判定する構成としてもよい。
【発明の効果】
【００１７】
この発明によれば、視覚障害者が番組を視聴するときにも、その番組が音声解説がある番組であるかどうかを簡単に確認させることができる。
【図面の簡単な説明】
【００１８】
【図１】この発明の実施形態であるディジタルテレビ放送受信装置の主要部の構成を示す図である。
【図２】ＩＳＯ＿６３９＿ｌａｎｇｕａｇｅ＿ｄｅｓｃｒｉｐｔｏｒを説明する図である。
【図３】ディジタルテレビ放送受信装置の動作を示すフローチャートである。
【発明を実施するための形態】
【００１９】
以下、この発明の実施形態であるディジタルテレビ放送受信装置について説明する。
【００２０】
図１は、この発明の実施形態であるディジタルテレビ放送受信装置の主要部の構成を示す図である。このディジタルテレビ放送受信装置１は、制御部２と、受信部３と、デコーダ４と、映像信号処理部５と、映像信号出力部６と、音声信号処理部７と、音声信号出力部８と、操作部９と、ＥＰＧ処理部１０と、を備えている。制御部２は、ディジタルテレビ放送受信装置１本体各部の動作を制御する。受信部３には、アンテナ２０が接続されている。受信部３は、アンテナ２０で受信されているディジタルテレビ放送信号が入力される。受信部３は、その時点で選局されているチャンネルで放送されている番組のディジタルテレビ放送信号を抽出するチューナである。受信部３は、抽出したチャンネルのディジタルテレビ放送信号をデコーダ４に入力する。
【００２１】
ディジタルテレビ放送信号は、トランスポートストリーム（ＴＳ）である。デコーダ４は、受信部３から入力されているトランスポートストリームを処理し、番組の映像にかかる映像ストリームと、番組の音声にかかる音声ストリームとに分離する。デコーダ４は、分離した映像ストリームを映像信号処理部５に入力し、分離した音声ストリームを音声信号処理部７に入力する。映像信号処理部５は、デコーダ４から入力されている映像ストリームを処理し、映像信号を生成する。映像信号出力部６には、表示装置２１が接続されている。映像信号処理部５は、映像信号出力部６を介して映像信号を表示装置２１に入力する。映像信号出力部６は、アナログ映像信号を出力する構成であってもよいし、ディジタル映像信号を出力する構成であってもよいし、これら両方を出力する構成であってもよい。すなわち、接続する表示装置２１に応じた映像信号を出力する構成であればよい。
【００２２】
また、デコーダ４は、音声の種類毎に、音声ストリームを音声信号処理部７に入力する。ここで言う音声の種類とは、音声の言語（日本語、英語等）や、音声のタイプ（通常音声、音声解説等）等である。ここで言う、音声解説とは、通常音声に、番組の映像（場面）等を解説する音声を加えた音声である。すなわち、音声解説は、番組の映像が見えなくても、その場面を視聴者が想像できる解説を加えた音声である。音声信号処理部７は、その時点で選択されている種類の音声にかかる音声ストリームを処理し、音声信号を生成する。音声信号出力部８には、スピーカ２２が接続されている。音声信号処理部７は、音声信号出力部８を介してスピーカ２２に音声信号を入力する。音声信号出力部８は、アナログ音声信号を出力する構成であってもよいし、ディジタル音声信号を出力する構成であってもよいし、これら両方を出力する構成であってもよい。すなわち、接続するスピーカ２２に応じた音声信号を出力する構成であればよい。
【００２３】
また、操作部９は、本体に対する視聴者の入力操作を受け付ける。操作部９には、利用者が操作する操作キーや、図示していなリモコン装置から送信されてきた本体に対する制御信号を受信するリモコン受信部を有している。操作部９では、主電源のオン／オフ操作、チャンネルの選局操作、出力する音声の種類の選択操作、音量の変更操作等を受け付ける。ＥＰＧ処理部１０は、受信部３で受信した電子プログラムガイド（ＥＰＧ）を処理する。ＥＰＧは、チャンネル毎に、放送する各番組の放送日時等を示す番組表である。
【００２４】
ここで、ディジタルテレビ放送におけるトランスポートストリーム（ＴＳ）について簡単に説明しておく。符号化された映像や音声は、エレメンタリストリーム  （Ｅｌｅｍｅｎｔａｒｙ  Ｓｔｒｅａｍ（ＥＳ））と呼ばれ、映像ＥＳや音声ＥＳを適当な大きさに分割してパケット化したものがＰＥＳ（Ｐａｃｋｅｔｉｚｅｄ  Ｅｌｅｍｅｎｔａｒｙ  Ｓｔｒｅａｍ）と呼ばれている。ＴＳは、このＰＥＳを多重化し伝送する形式である。ＴＳでは、ＰＥＳパケットをトランスポートパケットと呼ばれる １８８バイト固定長のパケットへ分割する。このトランスポートパケットの連続が、トランスポートストリーム（ＴＳ）である。
【００２５】
また、各トランスポートパケットには、パケット識別子（ＰＩＤ）と呼ばれる１３ビットの情報が含まれている。これは各トランスポートパケットのそれぞれが何を伝送しているものか示すためのものである。同一の番組の映像や、同一番組における同一種類の音声にかかるトランスポートパケットのＰＩＤは同じである。トランスポートストリームを受信したディジタルテレビ放送受信装置１は、ＰＩＤを用いて元のＰＥＳ（映像ストリームや、音声ストリーム）に戻すことができる。ディジタルテレビ放送では、番組の映像にかかる映像ストリームと、番組の音声にかかる音声ストリームと、が多重化されて伝送（放送）されている。音声ストリームには、主音声、および各副音声にかかる音声ストリームが個別に存在する。
【００２６】
また、ディジタルテレビ放送におけるＭＰＥＧ規格（ＩＳＯ／ＩＥＣ  １３８１８−１）では、トランスポートストリームにＰｒｏｇｒａｍ  Ｍａｐ  Ｔａｂｌｅ（ＰＭＴ）と呼ばれるチャンネルに関するストリーム情報を関連づけるテーブルが存在する。そして、音声ストリームに関連したＰＭＴの中には、音声の言語を示す言語情報と、音声のタイプを示すタイプ情報と、を示したＩＳＯ＿６３９＿ｌａｎｇｕａｇｅ＿ｄｅｓｃｒｉｐｔｏｒ（図２参照）が含まれている。したがって、各音声ストリームは、その音声ストリームに関連するＰＭＴの中に含まれているＩＳＯ＿６３９＿ｌａｎｇｕａｇｅ＿ｄｅｓｃｒｉｐｔｏｒによって、音声の言語、および音声のタイプを判断することができる。
【００２７】
次に、このディジタルテレビ放送受信装置１の動作について説明する。図３は、このディジタルテレビ放送受信装置の動作を示すフローチャートである。ディジタルテレビ放送受信装置１は、装置本体の主電源がオンされると図３に示す処理を開始し、装置本体の主電源がオフされると図３に示す処理を停止する。すなわち、このディジタルテレビ放送受信装置１は、装置本体の主電源がオンされている間、図３に示す処理を実行する。
【００２８】
まず、ディジタルテレビ放送受信装置１は、受信部３において、選局されているチャンネルで放送されている番組のトランスポートストリームを抽出する（ｓ１）。主電源のオン時に選局されているチャンネルは、前回の主電源のオフ時に選局されていたチャンネルである。
【００２９】
受信部３は、抽出したトランスポートストリームをデコーダ４に入力する。デコーダ４は、受信部３が抽出した番組のトランスポートストリームを処理し、番組の映像にかかる映像ストリームと、番組の音声にかかる音声ストリームと、に分離するとともに、分離した映像ストリームおよび音声ストリームに基づいて、映像データ、および音声データを復号化する（ｓ２）。ｓ２では、番組の主音声、および各副音声のそれぞれについて音声ストリームを取得し、取得した音声ストリーム毎に復号化した音声データを得る。
【００３０】
ディジタルテレビ放送受信装置１は、音声解説の有無を通知する通知機能が有効、または無効のいずれに設定されているかを判定する（ｓ３）。この通知機能の有効、無効にかかる設定は、視聴者がリモコン装置等で自分の使い勝手に合わせて設定できる。また、この設定は、主電源がオンされている間、任意のタイミングで行える。
【００３１】
ディジタルテレビ放送受信装置１は、ｓ３で通知機能が有効に設定されていると判定すると、番組の主音声、および各副音声のそれぞれについて音声のタイプを判断し、音声解説がある番組であるかどうかを判定する（ｓ４）。ｓ４では、音声信号処理部７において、番組の主音声、および各副音声のそれぞれについて、その音声ストリームに関連するＰＭＴの中に含まれているＩＳＯ＿６３９＿ｌａｎｇｕａｇｅ＿ｄｅｓｃｒｉｐｔｏｒにおけるａｕｄｉｏ＿ｔｙｐｅが「ｖｉｓｕａｌ  ｉｍｐａｉｒｅｄ  ｃｏｍｍｅｎｔａｒｙ」（音声解説）であるかどうかを判断する。ディジタルテレビ放送受信装置１は、ａｕｄｉｏ＿ｔｙｐｅが「ｖｉｓｕａｌ  ｉｍｐａｉｒｅｄ  ｃｏｍｍｅｎｔａｒｙ」）である音声があれば、音声解説がある番組であると判定する。
【００３２】
ディジタルテレビ放送受信装置１は、ｓ４で音声解説がある番組であると判定すると、音声信号出力部８からその旨を通知する音声信号を出力する（ｓ５）。ｓ５では、例えばスピーカ２２から、チャイム音を放音させる音声信号を出力してもよいし、「この番組は、音声解説があります。」というメッセージを放音させる音声信号を出力してもよい。
【００３３】
また、ディジタルテレビ放送受信装置１は、選局されているチャンネルを切り替えるチャンネル切替を受け付けると（ｓ６）、ｓ１に戻って、今回選局されたチャンネルについて上述した処理を行う。また、ディジタルテレビ放送受信装置１は、受信しているチャンネルで、放送されている番組が切り替わったとき（すなわち、これまで放送されていた番組が終了し、新たに別の番組の放送が開始されたとき）（ｓ７）、ｓ１に戻って上述した処理を繰り返す。新たな番組の放送が開始されるタイミングについては、受信部３で予め受信したＥＰＧを用いて判断してもよいし、受信しているトランスポートストリームから得られる番組のタイトルの変化によって判断してもよい。
【００３４】
なお、ディジタルテレビ放送受信装置１は、ｓ６でチャンネルの切替、またはｓ７で新たな番組の放送が開始されるのを待っている間、受信部３で受信しているチャンネルで放送されている番組の映像信号を映像信号出力部６から出力するとともに、選択されている種類の音声の音声信号を音声信号出力部８から出力する。また、このときには、従来のディジタルテレビ放送受信装置と同様に、音量の変更や、音声の種類の選択等にかかる入力操作を受け付けると、当該操作に応じた処理を行う。
【００３５】
このように、このディジタルテレビ放送受信装置１では、主音声、または副音声のいずれかに音声解説があれば、その旨を音声で通知する。したがって、視覚障害者が番組を視聴するときにも、その番組が音声解説がある番組であるかどうかを簡単に確認させることができる。これにより、視覚障害者の使い勝手を向上させることができる。
【００３６】
また、この通知機能については有効／無効の設定が行えるので、視覚障害者でない利用者は、この通知機能を無効に設定しておけば、無用な音声通知によって煩わしく感じることもない。すなわち、視覚障害者でない視聴者の使い勝手を低下させることもない。
【００３７】
また、ＥＰＧが、番組毎に音声解説があるかどうかを示す情報を含んだものであれば、以下のようにして、選局しているチャンネルで放送されている番組が音声解説がある番組であるかどうかを判定するようにしてもよい。
【００３８】
なお、現状のＥＰＧには、番組毎に音声解説があるかどうかを示す情報は含まれていない。
【００３９】
ディジタルテレビ放送受信装置１は、予め定めた時間（例えば、毎日午前０時）に、ＥＰＧを受信する。ディジタルテレビ放送受信装置１は、受信したＥＰＧによって、この先一定時間（例えば、２４時間）の間に放送される番組毎に、音声解説がある番組であるかどうかを判定し、音声解説がある番組を抽出する。ディジタルテレビ放送受信装置１は、ここで抽出した番組毎に、放送チャンネル、および放送時刻等を含む番組情報を制御部２に設けられているメモリ（不図示）に記憶する。
【００４０】
このディジタルテレビ放送受信装置１も、図３に示す処理を行うが、ｓ４における音声解説がある番組であるかどうかを判定する処理が、上述した装置と異なる。具体的には、ｓ４における判定を、制御部２に設けられているメモリに記憶している番組情報によって判定する。すなわち、現在時刻が放送時刻であって、且つ、この時点で選局されているチャンネルが放送チャンネルである番組の番組情報を制御部２に設けられているメモリに記憶していれば、音声解説がある番組であると判定する。
【００４１】
このようにすれば、ｓ４の判定にかかる処理時間を短縮することができ、視覚障害者の使い勝手を一層向上できる。
【符号の説明】
【００４２】
１−ディジタルテレビ放送受信装置
２−制御部
３−受信部
４−デコーダ
５−映像信号処理部
６−映像信号出力部
７−音声信号処理部
８−音声信号出力部
９−操作部
１０−ＥＰＧ処理部
【図１】
2010187157.tif 000003
【図２】
2010187157.tif 000004
【図３】
2010187157.tif 000005